Podtech/llm-jp-corpus-v4-ja_patent huggingface dataset:
(57)【要約】　　　（修正有）【課題】可撓管の伸縮や変位を向上させ、可撓管の欠点であるパッキン面の内側のすき間を無くし、さらに耐久性まで改善し得る薄肉可撓管継手を提供する。【解決手段】薄肉可撓管の両端部分に外装された袋ナット３の抜け防止として薄肉可撓管の筒状部分１の外周に薄肉管１２を挿入し厚肉にして、薄肉可撓管両端部分をパッキン６側の反対に折り曲げ２重にし形成された拡径部７を備えた薄肉可撓管継手である。【選択図】図２
0003099485.tif 000002
【実用新案登録請求の範囲】
【請求項１】
薄肉可撓管の両端部分に外装された袋ナットの抜け防止と強度を増すため、薄肉可撓管の筒状部分の外周に薄肉管を挿入する。
【請求項２】
また、その両端部を外側に折り曲げ２重にして拡径に形成された事を特徴とする薄肉可撓管継手。
【考案の詳細な説明】
【０００１】
【考案の属する技術分野】
配管と配管の間に連結する為に使用される薄肉可撓管継手に関するものである。
【０００２】
【従来の技術】
従来、配管と配管の間を連結する可撓管継手は、両端部に外装された袋ナットの抜け防止として可撓管の両端部に形成された拡径部とを備えており、袋ナットの内壁に刻設した雌ネジと連結対象となる金具の外壁に刻設した雄ネジとを螺着し、両者を連結するものである。
【０００３】
この時、袋ナットに形成した縮径部は、袋ナットの回転に応じて可撓管端部に形成した拡径部を配管の方向に押し進め、金具の端面と可撓管の拡径部端面の間にパッキンを介して圧接させ、管の内部と外部とを構造的に遮断する。
【０００４】
【考案が解決しようとする課題】
上記薄肉可撓管継手の内圧が発生時に、可撓管の波状管部分が伸びようとする。その時、配管の両端が固定されていることによって、波状管部分が曲がる現象が起き、拡径部端面の間に引っ張る力が生じ抜ける可能性がある、その対象法として、可撓管の肉厚を厚くする構造と拡径部端面の端部をパッキン側に折り曲げ２重にする構造がある。
【０００５】
また、上記の構造では、肉厚が厚いので波状管部分が曲り難く、伸縮や変位の効果が減少する。
【０００６】
また、薄肉可撓管を使用する場合は拡径部端面に強度を増すため、端部をパッキン側に折り曲げ２重にするという構造のため、端部が内側の流体に接する部分に狭いすき間ができ、そのすき間の中に液体が溜まり、腐食やばい菌が発生する為、食品・薬品関係には適していない。
【０００７】
【考案が解決するための手段】
薄肉可撓管の筒状部分の外周に薄肉管を挿入し、薄肉管と同時に両端を外側に折り曲げ成形することにより、筒状部分が厚肉になるが、波状管部分は薄肉のため曲げ易く伸縮や変位の効果も増す。
【０００８】
それ以上の高内圧が生じて拡径部端面に影響しても、拡径部端面の端部を反対側に折り曲げて２重にする事により、抜け防止になる。
【０００１０】
しかし、従来の折り曲げて２重にする方法は、拡径部端面の端部をパッキン側に折り曲げるため、端部が内側の流体に接する部分に、狭いすき間ができ、そのすき間の中に液体が溜まり、腐食やばい菌が発生する為、食品・薬品関係のは適していなかった。
【考案の実施の形態】
以下、本考案の実施の形態を図面に基づいて説明する。図１は本考案に係る薄肉可撓管継手の実施の形態を示す図で、一部断面にて示す。図２は図１のＡ部拡大図である。
【０００１１】
この薄肉可撓管継手２は、金属製波状管からなる薄肉可撓管１と、薄肉可撓管１の両端部分に外装された袋ナット３の抜け防止として薄肉可撓管１の両端部を折り曲げ成形して形成された拡径部７と、袋ナット３の縮径部８はパッキン６を介して配管側部材である金具４に連結されている。
【０００１２】
本実施の形態において配管５の端部はテーパー雌ネジ１３刻設されており、ストレート雌ネジ９が刻設されていると直接螺着することができないため、袋ナット３を連結するためのアダプターとして、一端部テーパー雄ネジ１４を他端部にストレート雄ネジ１０を刻設した金具４とが、この順番で配管５に螺着されている。
【０００１３】
図２は、薄肉可撓管１の筒状部分の外周に薄肉管１２を挿入し同時に折り曲げ成形して、形成された拡径部７の端部１５をパッキン側の反対に折り曲げる事により、すき間を無くし強度を増す構造になっている。
【０００１４】
図３は、従来の構造で薄肉可撓管１の拡径部７の端部１５がパッキン側に折り曲げるため、すき間１１ができる。
図の説明
【図面の簡単な説明】
【図１】本考察に係る薄肉可撓管継手の実施の形態を示す一部断面図
【図２】図１におけるＡ部拡大図
【図３】従来の折り曲げて２重にしたＡ部拡大図
【符号の説明】
１．筒状部
２．薄肉可撓管波状部
３．袋ナット
４．金具
５．配管
６．パッキン
７．薄肉可撓管拡径部
８．袋ナット縮径部
９．袋ナット雌ネジ
１０．金具ストレート雄ネジ
１１．すき間
１２．薄肉管
１３．配管テーパー雌ネジ
１４．金具テーパー雄ネジ
１５．薄肉可撓管拡径端部
【図１】
0003099485.tif 000003
【図２】
0003099485.tif 000004
【図３】
0003099485.tif 000005
【手続補正書】
【提出日】平成15年8月23日(2003.8.23)
【手続補正１】
【補正対象書類名】明細書
【補正対象項目名】実用新案登録請求の範囲
【補正方法】変更
【補正の内容】
【実用新案登録請求の範囲】
【請求項１】
薄肉可撓管の両端部分に外装された袋ナットの抜け防止と強度を増すため、薄肉可撓管の筒状部分の外周に薄肉管を挿入したことを特徴とする薄肉可撓管継手。
【請求項２】
請求項１記載の薄肉可撓管継手において、両端部を外側に折り曲げ２重にして拡径に形成された事を特徴とする薄肉可撓管継手。
(57)【要約】【課題】本考案はＵＰピアノアクションの各レールを枠付きのパネルに直接取り付けることにより薄型・軽量化を可能にし、アクリル板を取り付けることによりアクションパーツの破損を防ぎ、且つ運搬を容易にするので、様々な場所でピアノのアクションがどのように動くのかを分かり易く説明するのに役立つ。【解決手段】１のパネルの枠の厚み程度に切断したアクションレールに、アクションパーツのハンマー２、ダンパー３、ウィペン４を取り付ける。各アクションパーツ部を取り付けたアクションレール１とハンマーレール９、ダンパーレール１０、ジャックレール１１、レギュレーティングレール１２を枠のついたパネル５に固定する。枠のついたパネル５の枠に、キャプスタン６と弦７を取り付ける。表面にアクリル８を付けることにより、様々な状況下での移動や保管を容易にし、ピアノのアクションがどのように動くのかを分かり易く説明するのに役立つ。【選択図】　図１
0003099487.tif 000002
【実用新案登録請求の範囲】
【請求項１】
ＵＰピアノアクションにおける全てのレールを枠付きのパネルに固定し、アクションパーツをレールにねじ留め、パネルにキャプスタンと弦を取り付ける。さらに表面にアクリル板を取り付けることにより、可動式でありながら、容易に持ち運べるインテリアとした所を特徴とするＵＰピアノアクション模型である。
【考案の詳細な説明】
【０００１】
【考案の属する技術分野】
本考案は、ＵＰピアノアクション模型をパネル状のインテリアタイプにした、ピアノアクション模型に関するものである。
【０００２】
【従来の技術】
従来のピアノアクション模型は、置物であった。
【０００３】
【考案が解決しようとする課題】
これには次のような欠点があった。
（い）アクション模型が大型のため、スペースが必要であった。
（ろ）レールをつなぎとめる為に鋳物のブラケットを使用するため、重量があり、移動しづらかった。
（は）外形が複雑なため、持ちづらかった。
従って、ブラケットを使用せず、レール部を直接パネルに取り付けることにより持ちやすい形、及び軽量化する事が可能になり、またアクリル板を取り付けることにより管理を容易にし、前述の欠点を解決しようとするものである。
【０００４】
【課題を解決するための手段】
本考案は、ＵＰピアノアクションの全てのレールを枠付きのパネルに直接取り付け、さらにそのレールにアクションパーツをねじとめる事により、本来の動く機能を生かしたまま薄型・軽量化を可能にし、枠の上から全体を覆うサイズのアクリル板を取り付けることによりアクションパーツの破損を防ぎ、且つ移動や保管を容易にし、問題点を解決している。
【０００５】
【考案の実施の形態】
枠付きのパネルの片側に弦を張り、枠の下側にキャプスタンを取り付ける。ＵＰピアノアクションにおける全てのレールをパネルの枠の厚みにカットし、各アクションパーツをレールに取り付けたときにパーツが正常な動きをするように取り付け位置を決めてから、レールをパネルに固定する。アクションパーツを対応するレールにねじで留めることにより、キャプスタンを下から指で押し上げた時、ピアノと同様に稼動する。さらに枠の全面覆うサイズのアクリル板を取り付けることにより、アクションに直接手が触れなくなり安全に模型を移動及び保守できる。
【０００６】
【考案の実施例】
以下、添付図面に従って説明する。１のパネルの枠の厚み程度に切断したアクションレールに、アクションパーツのハンマー２、ダンパー３、ウィペン４を取り付ける。各アクションパーツ部を取り付けたアクションレール１とハンマーレール９、ダンパーレール１０、ジャックレール１１、レギュレーティングレール１２を枠のついたパネル５に固定する。枠のついたパネル５の下枠に、ウィペン４のヒール部中心に当たるようにキャプスタン６を取り付ける。またダンパー３のヘッドのフェルト部に弦が押し付けられるように取り付け位置を決め、上部から下部に弦７をわたし、適度に張力を与えたまま弦を取り付ける。表面を覆う大きさのアクリル８を枠に付ける。キャプスタン６の下部を押すことにより、ピアノアクションが動く。
【０００７】
【考案の効果】
上記の様に、本考案のアクション模型は小型で持ち運びやすいので、様々な状況下において、ＵＰピアノのアクションがどのように動くのかを分かり易く説明するのに役立つ。また、壁に飾ることも出来るので紛失や破損を防ぎつつ、容易に収納ができる。
【図面の簡単な説明】
【図１】本考案のピアノアクションインテリアの一実施例を示す正面図である。
【図２】本考案の一部欠断面図である。
【図３】本考案の弦７部分斜視図である。
【図４】本考案のキャプスタン６の拡大図である。
【符号の説明】
１．アクションレール
２．ハンマー
３．ダンパー
４．ウィペン
５．枠のついたパネル
６．キャプスタン
７．弦
８．アクリル板
９．ハンマーレール
１０．ダンパーレール
１１．ジャックレール
１２．レギュレーティングレール
【図１】
0003099487.tif 000003
【図２】
0003099487.tif 000004
【図３】
0003099487.tif 000005
【図４】
0003099487.tif 000006
【手続補正書】
【提出日】平成15年8月29日(2003.8.29)
【手続補正１】
【補正対象書類名】明細書
【補正対象項目名】請求項１
【補正方法】変更
【補正の内容】
【請求項１】
ＵＰピアノアクションにおける全てのレールを枠付きのパネルに固定し、アクションパーツをレールにネジ留め、パネルにキャプスタンと弦を取り付け、表面にアクリル板を取り付けることにより、可動式でありながら容易に持ち運べるインテリアとした所を特徴とするＵＰピアノアクション模型。
(57)【要約】【課題】寝たきりの方　又は　座位での手洗いを安全かつ快適に行えるようにする。【解決手段】手を洗う桶の縁の一部を　内側に折り曲げた。【選択図】　　　　　図３
0003099481.tif 000002
【実用新案登録請求の範囲】
【請求項１】
１縁を　手への負担が軽減されるように曲げた桶。
【考案の詳細な説明】
【０００１】
【考案が解決しようとする課題】
寝たきりの方　又は　座位で手を洗う時　一般的には洗面器が主に　使用されている。
その際、手が　縁にあたり　手首に痛みを感じ　又、骨折につながる可能性もある。
手への　負担を軽減するため桶を傾けると　水がこぼれやすくなってしまうという深刻な問題を有していた。
【０００２】
【問題を解決するための手段】
上記目的を改善するために　桶の縁の一部を内側に折り曲げることにより　手を自然な形で　水につけることを可能にした。
【０００３】
【考案の効果】
上記のことで　問題は解決され　介護される側も　する側も安全に、快適に手洗いが行える。
【図面の簡単な説明】
【図１】本体の斜視図である。
【図２】本体の断面図である。
【図３】使用時の図である。
【図１】
0003099481.tif 000003
【図２】
0003099481.tif 000004
【図３】
0003099481.tif 000005
【手続補正書】
【提出日】平成15年6月20日(2003.6.20)
【手続補正１】
【補正対象書類名】明細書
【補正対象項目名】実用新案登録請求の範囲
【補正方法】変更
【補正の内容】
【実用新案登録請求の範囲】
【請求項１】
・１　縁の一部を内側に折り曲げた桶。
(57)【要約】　　　（修正有）【課題】箸先の物を摘む部分が直接机等の台の表面に触れない形にする。【解決手段】箸先の物を摘む部分を細くし手に持つ部分を太くしてその間に段差を付ける事によって箸の先の物を摘む部分が机等の台に箸を直接置いても段差が箸についているので箸先の物を摘む部分は机等の台の表面に触れることが無い。【選択図】　　図２
0003099489.tif 000002
【実用新案登録請求の範囲】
【請求項１】
１　　従来の箸に段差をつけたもので箸の先の部分が机等の上に箸を直接置いても机等の表面に触れないもの
【考案の詳細な説明】
【考案の属する技術分野】箸
【従来の技術】箸の製造
【考案が解決しようとする課題】
従来日常の食事の場合には一般の家庭や食堂においては箸置きをあまり使用されていないのが現状である、箸置きのない場合には食事中に手から箸を離すとき、言い換えると箸を休めて箸を机に置くときなど私たちは良く茶碗や皿の上に置いているが、茶碗や皿が無い時やその上に置けないときなどの時は箸を机等に直接置くようになる。
箸を直接机の上に置くとその箸で食物などを摘んだ箸の先に付着した食物の滓や汁が机の面に触れて机を汚してしまう、また反対に机のゴミが箸に付着して汚く不衛生である。
そこで箸を直接机に置いても綺麗で衛生的な方法として考えたのが、食べ物などを摘む箸を手に持つ所と食べ物などを摘む所との間に段差を付けて手に持つ方を太く、食べ物を摘む方を細くした。
そのように箸に段差を付ける事により机等に直接箸を置いても箸の先が机の表面に触れることが無くなり汚れず衛生的になった。
【課題を解決するための手段】従来の箸に段差をつける。
【実施例】
（１）　従来の箸に段差をつける
（２）　箸の手元の部分は太く先の部分は細くする
（３）　段差を付けるのは箸の先から４センチから６センチ位　いのところが良いと思われる
【考案の効果】箸の先が机の表面に触れず衛生的で綺麗になった。
【図面の簡単な説明】
【図１】姿図」現在支用されている従来の箸。
【図２】姿図」箸の先の部分と手に持つ部分との間に段差を付けて箸の先の部分が細くなった箸。
【図１】
0003099489.tif 000003
【図２】
0003099489.tif 000004
(57)【要約】　　　（修正有）【課題】整体や押圧、マッサージ等において疲れたり手指を傷めたりするのを防ぎ、患者に不安や不快感を与えることなく快適で安定した診療の場を提供する。【解決手段】寝台ないし椅子体の上方又は背後に取り付けた丸棒状支柱にこれを回転軸とするハンドルを回動及び滑動可能状に取り付け、該ハンドル上における該支柱寄りの位置に別の回転軸を介して棒状押圧体を回動可能状に取り付ける。【選択図】　なし【実用新案登録請求の範囲】
【請求項１】
　寝台ないし椅子体の上方又は背後に取り付けた丸棒状支柱にこれを回転軸とするハンドルを回動及び滑動可能状に取り付け、該ハンドル上における該支柱寄りの位置に別の回転軸を介して棒状押圧体を回動可能状に取り付けたことを特徴とする整体補助装置。
【考案の詳細な説明】
【考案の詳細な説明】
【技術分野】
【０００１】　この考案は、主に背骨の歪みを矯正して治療するための整体や指圧、マッサージ等の補助装置に関する。
【背景技術】
【０００２】　従来より各種矯正器具として牽引法やローリング法によるカイロベッドやローリング治療機器等が使用されており、その他、様々なリハビリ用器具や運動用器具が知られているものの、実際の整体治療において個々の患者に対する指圧又は押圧の補助装置となりうるものは、未だ満足すべきものがないのが現状である。
【考案が解決しようとする課題】
【０００３】　背骨の部分的なずれによる圧迫が遠因となって起こる疾患は想像以上に多く、これを修正することによって治療を行う整体術が既に広く行われているが、実際にこれを実施するにあたり甚だ強い力を指や腕に加える必要があるため、整体師が手指を傷めたり過労に陥る憂いがあり、これを補助する器具も前記のような一般的なものがないため、それそれがドリル状のものを改造したりして工夫したものを用いることもあるが、これ等も患者に不安や不快感を与えるのみで、依然として満足すべき解決方法が見い出されていない。本考案はかかる問題点を解決することを課題とする。
【課題を解決するための手段】
【０００４】　図１のような寝台１ないし図２のような椅子体２の上方（寝台の場合）又は背後（椅子体の場合）に取り付けた丸棒状支柱３に、これを回転軸４Ａとするハンドル５を回動及び滑動可能状に取り付け、該ハンドル５上における該支柱３寄りの位置に別の回転軸４Ｂを介して棒状押圧体６を回動可能状に取り付ける。
【０００５】　これを本考案では便宜上「整体補助装置」と名付けているが、このような機構の装置は整体術に限らず指圧やマッサージ方面でも前例がなく、甚だ大きなインパクトと共に同方面へも活用できるものであり、本考案はこれ等全般への適用を含むものである。
【作用】
【０００６】　本考案の装置を用いて整体を行う際の作用を図面と共に説明する。すなわち被治療者７を寝台１にうつ伏せに寝かせるか或いは椅子体２に後ろ向きに座らせた後、治療者８は背骨の歪み場所を予め探り出してからそこを矯正すべく棒状押圧体６の先端を被治療者７の該当位置に当ててハンドル５を軽く押す。するとテコの原理で回転軸４Ａを支点として何倍もの力が棒状押圧体６すなわち被治療者７の押すべき位置に加わり、楽々と矯正に必要な力を与えることができる。
【０００７】　押圧の位置も、該ハンドル５が回転軸４Ａにおいて前後又は上下に滑動可能状であり、棒状押圧体６が回転軸４Ｂによってその先端が左右に可動であるから、被治療者７をあまり動かすことなくほぼ任意の位置を押圧することができる。
【０００８】　なお、必要に応じ回転軸４Ｂの位置を移動可能状にしたり、棒状押圧体６の先端部の形状等を適宜工夫することにより、指圧やマッサージに適したものにすることもできる訳である。
【考案を実施するための最良の形態】
【０００９】　金属製の丸棒状支柱３は寝台１の前後端に設けられたアーチ状支柱によって寝床の数十ｃｍ上にほぼ水平に支えられるが、これは被治療者７がその下に入りやすいように前端において外れ、後端を軸として斜めに持上げるようになっている。ハンドル５の回転軸４Ａはその内径が該丸棒状支柱３の外径に略等しいような筒状体であり、従って回動及び滑動が自在である。又、棒状押圧体６の先端部は、丸みを帯びたゴム質のややソフトなものにより形成される。
【考案の効果】
【００１０】　本考案によれば、整体、指圧、マッサージ等の診療に伴う手指の力作業がきわめて大幅に低減できるから、深刻な疲れや損傷を防ぐと同時に、力の微妙なコントロールも可能となり、騒音や強すぎる刺激もなく、患者に不安感や不快感を与えないなどの効果がある。
【図面の簡単な説明】
【図１】本考案の使用状態を示す見取図
【図２】本考案別例の使用状態を示す見取図
【符号の説明】
１……寝台　　　　２……椅子体　　　　３……丸棒状支柱４Ａ，４Ｂ……回転軸　　　　５……ハンドル６……棒状押圧体　　　　７……被治療者　　　　８……治療者
【図１】
0003099427.tif 000002
【図２】
0003099427.tif 000003
(57)【要約】
【課題】比較的大形の冷凍海老について　ほぼ海老の長さを収納し得る横長の透明プラスチック袋内に冷凍してなる海老一尾毎に収納し、該袋内部に気体を充填しピロ包装にて密封することによって最適な鮮度保持を行うと共に足や尻尾の損傷を避け、より高品質の冷凍海老を提供する。
【解決手段】ほぼ海老の長さを収納し得る横長の透明プラスチック袋内に冷凍してなる海老一尾毎に収納し、該袋内部に気体を充填しピロ包装にて密封してなる。
【選択図】　　図１
0003099429.tif 000002
【実用新案登録請求の範囲】
【請求項１】
ほぼ海老の長さを収納し得る横長の透明プラスチック袋内に冷凍してなる海老一尾毎に収納し、該袋内部に気体を充填しピロ包装にて密封してなることを特徴とする海老の包装体。
【請求項２】
袋内部に充填する気体は窒素ガスである請求項１記載の海老の包装体。
【考案の詳細な説明】
【考案の詳細な説明】
【技術分野】
【０００１】この考案は、海老の鮮度保持ができ且つ型崩れを防止し得る海老の包装体に関する。
【背景技術】
【０００２】従来、海老の鮮度を保持するために、捕獲された海老は冷凍された後、これを砕氷で充たされた発泡スチロールの容器内に保存され、小売り段階では、１０〜２０尾単位で冷凍した海老を砕氷で充たしたトレーに入れ、手作業でプラスチックフィルムにて包装し、内部保冷して鮮度を保つべく空冷保存して販売している。
【考案が解決しようとする課題】
【０００３】しかし、このように手作業でプラスチックフィルムにて包装し、内部保冷していたのでは効果的な鮮度保持が行われ難く、１０〜２０尾単位で冷凍した海老は相互にくっついて一体化しているため、調理時には一体化した海老を一尾づつを剥がす段階で足や尾が欠損し、海老の美的価値、市場価値を下げる結果となる。
したがって、この考案の目的とするところは、比較的大形の冷凍海老についてほぼ海老の長さを収納し得る横長の透明プラスチック袋内に冷凍してなる海老一尾毎に収納し、該袋内部に気体を充填しピロ包装にて密封することによって最適な鮮度保持を行うと共に足や尻尾の損傷を可能な限り避け、より高品質の冷凍海老を提供することである。
【課題を解決するための手段】
【０００４】上記の欠点を解決すべく、ほぼ海老の長さを収納し得る横長の透明プラスチック袋内に冷凍してなる海老一尾毎に収納し、該袋内部に気体を充填しピロ包装にて密封してなる。
【０００５】更に、袋体の内部の海老の酸化を防止すべく、袋内部に充填する気体は窒素ガスとする。
【考案を実施するための最良の形態】
【０００６】有頭又は無頭を問わず、例えば、車エビ、大正エビ、芝エビ、ブラックタイガー、ボタンエビなどのような比較的大形の海老について、これらの海老について比較的長期間鮮度を保持すると共に、それらの型崩れを防止した状態で保存し得るようにすべく、ほぼ冷凍海老１の長さを収納し得る横長の透明プラスチック袋２内に冷凍海老１一尾毎に収納し、該袋内部に空気又は不活性ガス等の気体３を充填しビロ包装機にてピロ包装し、冷凍海老を透明プラスチック袋２内に密封するようにしてある。【０００７】前記のように冷凍海老１はピロ包装機にてピロ包装される際に、袋内部に該袋内部に注入される気体３は内部に保存される海老の酸化を防ぐためには窒素ガス等の不活性ガスが最適である。包装時において、このような窒素ガス等の不活性ガスが注入され機械的に連続自動的に密封されるので、ガス注入且つ密封に要する費用は極めて安価となる。【０００８】一尾毎に独立して密封包装してあり、小売段階で複数尾をトレーに収納する場合にも一尾毎に独立性を保持しているため、隣りあう海老同志で冷凍一体化することが避けられるために、調理時に解凍時に足、尻尾に損傷することがない。【０００９】ピロ包装された冷凍海老１は透明プラスチック袋２内に窒素ガスのような気体３で袋内部は比較的膨張状態となっており、これを冷凍海老１の入った袋２を更に冷凍した場合でも冷凍海老１と袋２とが内部で凍結癒着することがない。横長の透明プラスチック袋２は内部に収納する冷凍海老１の大きさのものを用意する。【００１０】上記の海老の包装体を家庭用の冷蔵庫に保存した場合、４ヵ月程度は鮮度のある海老として食することができる。
【考案の効果】
【００１１】請求項１の海老の包装体では、ほぼ海老の長さを収納し得る横長の透明プラスチック袋内に冷凍してなる海老一尾毎に収納し、該袋内部に気体を充填しピロ包装にて密封してなるので、比較的長期間にわたり鮮度保持できる共に、冷凍海老の解凍時にも尻尾及び足の損傷等の型崩れを有効に阻止でき、海老の美的価値及び市場価値を上げることができる。
又、最近特に増えつつある一人又は二人の核家族では、バラ売り可能な海老の包装体であれば、必要な数の新鮮な海老の包装体をバラ売りで購入できることになり消費者にとって経済的である。
請求項２の海老の包装体では、袋内部に充填する気体は窒素ガスとしてあるので、冷凍海老の酸化を効果的に防止することができる。
【図面の簡単な説明】
【図１】本考案の海老の包装体の斜視図である。
【図２】海老の包装体の断面図である。
【符号の説明】
１．．冷凍海老
２．．透明プラスチック袋
３．．気体
【図１】
0003099429.tif 000003
【図２】
0003099429.tif 000004
(57)【要約】　　　（修正有）【課題】自動車の窓ガラスに簡単に取付け取外しができ、未使用時にコンパクトに収納できる低コストな日よけシートを提供する。【解決手段】本体が繊維から構成される編物または織物または不織布からなり、裏面の上端および下端部分またはその一部に再剥離可能な粘着層を設ける。【選択図】　　図１
0003099426.tif 000002
【実用新案登録請求の範囲】
【請求項１】
　編物または織物、または不織布からなるシートと、その片面の少なくとも一部に窓ガラスに固定させるための粘着剤または粘着ゲルを設けた日よけシート
【考案の詳細な説明】
【考案の詳細な説明】
【考案の技術分野】
【０００１】　本考案は、自動車の窓に取付けて使用する日よけシートに関するものである。
【背景技術】
【０００２】　従来、自動車の日よけとして、吸盤が取付けられたネット状の物を窓ガラスに吸着させたり、紙製の折畳式の遮蔽板を運転席の前に立てて使用していた。また、ドア側や後部の窓は布製のカーテンを取付けたり、フィルムを貼り付けて陽射しを防いでいた。
【考案が解決しようとする課題】
【０００３】　これらの物は、日よけ効果は見られるが、吸盤が取付けられたネットや折畳式の遮蔽板では、未使用時に大変かさばる。また、布製のカーテンを使用すると端に寄せた時に美観が損なわれたり、常に車内に取付けられた状態であるので、汚れやすい。また、フィルムを貼り付けた場合、取り外すことができない。
【０００４】　これらの課題を解決するものとして、自己粘着性樹脂からなるシートもあるが曲面に貼り付けることができない。
【課題を解決する手段】
　上記の課題を解決するために本考案の日よけシートは、シート生地がポリエステル、綿、ナイロン等の繊維で構成される編物または織物または不織布からなり、その生地の裏面に再剥雛可能な粘着層が上端および下端に設けられている。シート生地が繊維から構成されていることにより、生地本体に柔軟性があり、車内の湾曲した窓ガラス等のあらゆる曲面に貼り付けることができる。また、使用しない時は、折り畳んだり、一方から丸めたりして収納できるので、かさ張らず、邪魔にならない。
【考案を実施するための最良の形態】
【０００５】　以下、本考案の実施形態を添付図面に基づいて説明する。図１、２は、本考案の実施の形態の構成図である。生地１は、ポリエステル、綿、ナイロン等の繊維から構成される編物または織物または不織布である。この生地に使用する繊維として、既知の紫外線防止効果を有する繊維を使用することにより、紫外線防止効果を得ることもできる。粘着層２は、アクリル、シリコン、ウレタン等の再剥離可能な粘着剤４からなり、使用直前まで粘着剤４を保護するために剥離紙３を設けている。また、これらの粘着剤の変わりにオレフィン樹脂やスチレン樹脂等からなる自己粘着性高分子ゲルを使用することもできる。粘着層２は、生地１の上端および下端に設けられ、図１の様に上端、下端部分の全てに設けることもできるが、図２の様に上端、下端の四隅および中央の一部のみに設けるだけでもガラスへの貼付けは可能であり、粘着剤の使用を少なくすることができる。
【考案の効果】
【０００６】　本考案は、生地に設けられた粘着層により車内の窓ガラスに取付け、取り外しが簡単にできる。本体が繊維からなることから柔軟で、曲面部分にも貼付けることができ軽量かつコンパクトに収納することができる。また、構造が簡単であるため従来の吸盤付のネットや自己粘着シートに比べ低コストで生産が可能である。
【図面の簡単な説明】
【図１】　本考案の実施の形態の構成図
【図２】　粘着層が一部分に設けられた本考案の実施の形態の構成図
【図３】　粘着層が一部分に設けられた本考案の断面図
【符号の説明】
１　　生地
２　　粘着層
３　　粘着剤
４　　剥離紙
【図１】
0003099426.tif 000003
【図２】
0003099426.tif 000004
【図３】
0003099426.tif 000005
(57)【要約】　　　（修正有）【課題】従来の裾カバーは、取り付けは容易であるが着用してからの取付しかできない等いう制限があるために、一旦取り付けた後は、従来のズボンのように着用が簡単にでき、その上で、裾部の汚れに対応可能なズボンを提供する。【解決手段】裾長ズボンと、取替え可能な折り目付き裾カバーと、粘着シートから構成され、裾長ズボンの裾部表面には２個の雌ホックを逢着し、該ホックに対して折り目付き裾カバーに逢着した雄ホックを勘合し、更に裾部内側の裾カバー折り目と裾長ズボンの接触面が覆われるように粘着シートを加熱して塗着させることを特徴とする裾カバー付きズボンである。【選択図】図１
0003099407.tif 000002
【実用新案登録請求の範囲】
【請求項１】
裾長ズボンと、取替え可能な折り目付き裾カバーと、粘着シートから構成され、前記裾長ズボンの裾部表面には２個の雌ホックを逢着し、該ホックに対して前記折り目付き裾カバーに逢着した雄ホックを勘合し、更に裾部内側の裾カバー折り目と裾長ズボンの接触面が覆われるように粘着シートを加熱して塗着させることを特徴とする裾カバー付きズボン。
【考案の詳細な説明】
【技術分野】
【０００１】
　本考案は、取外し可能な裾カバー付きズボンに関し、更に詳しくは雄・雌ホックで折り目付き裾カバーを取り付け可能とした他に、ズボン内側の裾部に粘着テープを加熱溶着させてズボンと裾カバーとの隙間を覆うことにより、足指の先端が隙間に引っかからずに伸ばすことのできる取外し可能な裾カバー付きズボンを提供するものである。
【背景技術】
【０００２】
　学生服を日常の制服として着用する学生用ズボンの場合、裾部は歩くたびに靴やズック等と触れて裾部先端箇所が痛めやすいという構造上の欠点があった。
【０００３】
　従来のズボンの裾カバーとしては、実開昭５７−１６２３１９号に開示されるように、「耐水性のもので折り曲げたカバーをつくり着脱自在で弾性体である止め具を付設してなるズボンの裾カバー」は公知である。
【０００４】
　この裾カバーは、長裾ズボンの裾に折り曲げたカバーを当てた後に、弾性体の止め具で裾部を止めるために、止めた箇所はズボンの裾部と折り曲げカバーとの箇所は隙間がなくなるがその他の箇所は表裏ともに隙間を有するために、裾カバーを取り付けた状態でズボンをはく場合には、足指が両者の隙間に引っかかりはきにくいというほかに、止め具がずれるという欠点を有していた。
【特許文献１】実開昭５７−１６２３１９号
【考案の開示】
【考案が解決しようとする課題】
【０００５】
　上記の実開昭５７−１６２３１９号に示す裾カバーは、取り付けは容易であるが着用してからの取付けしかできない等いう制限があるために、一旦取り付けた後は、従来のズボンのように着用が簡単にでき、その上で、裾部の汚れに対応可能なズボンの開発が望まれていた。
【課題を解決するための手段】
【０００６】
　本考案者は、係る課題を解決するために鋭意研究したところ、ズボン本体の裾部に逢着した雌ホックに折り曲げた裾カバーの雄ホックを嵌めあわせするとともに、ズボン裾部の内側で裾カバーの重なる端部を隙間が生じないように粘着テープで覆うことによって、足指による引っかけが起こらないズボンとすることを見いだし、本考案の取外し可能な裾カバー付きズボンを提案することができた。
【０００７】
　すなわち本考案は、裾長ズボンと、取替え可能な折り目付き裾カバーと、粘着シートから構成され、前記裾長ズボンの裾部表面には２個の雌ホックを逢着し、該ホックに対して前記折り目付き裾カバーに逢着した雄ホックを勘合し、更に裾部内側の裾カバー折り目と裾長ズボンの接触面が覆われるように粘着シートを加熱して塗着させることを特徴とする取外し可能な裾付きズボンである。
【考案の効果】
【０００８】
　本考案に係る取外し可能な裾カバー付きズボンは、上記のように雄・雌ホックの嵌めあわせでズボン本体に裾カバーを取り付けた上に、ズボン内側を粘着テープで覆うことによって裾カバー端部の隙間を封ずることができることから足指の引っかけが無くスムーズにズボンの着用が出来るものである。
【０００９】
　また加熱粘着したテープは、ある程度の時期がくると粘着力が落ちるために、その時にズボン本体から剥離すると容易に剥がれ、またテープの痕跡も気になるほどに残らないために、新たに新規な裾カバーを同様にして粘着することによって繰り返し使用できるものである。
【考案を実施するための最良の形態】
【００１０】
　図１は、本考案のズボンを示す説明図である。本考案のズボン１は、通常の裾無しズボン、特に学生服のように常時着用するズボンの裾に雌ホック４を表および裏側に２ヶ所ずつ逢着してあり、図３に示す裾カバー５の雄ホック６がそれぞれ嵌めあわせするようになっている。
【００１１】
　本考案のズボン１は、裾カバー本体５の折り目をズボンの裾部にあわせ、雄・雌ホックを嵌合させた後に、ズボンの裏側を引き出し、図４に示すようにズボン本体１と裾カバー２の境界部に粘着テープをアイロン等で加熱しながら粘着させる。
【００１２】
　これによりズボン裏面において、ズボン本体１と裾カバー２との境界部での隙間が塞がれるために、ズボンを装着する際に、足指がこの境界部で引っかかることが無く、スムースにはくことができるようになる。
【００１３】
　なおこの場合、使用する粘着テープは、市販の粘着テープで良く、アイロン等の加熱で粘着がされる素材のもであればよい。
【図面の簡単な説明】
【００１４】
【図１】本考案のズボンを示す説明図である。
【図２】裾カバーを取り付ける前のズボンの全体を示す側面図である。
【図３】本考案で使用する裾カバーを示す斜視図である。
【図４】図１における裾部の拡大説明図である。
【符号の説明】
【００１５】
１・・・ズボン本体
２・・・裾カバー
３・・・バンド
４・・・雌ホック
５・・・裾カバー本体
６・・・雄ホック
７・・・粘着テープ
【図１】
0003099407.tif 000003
【図２】
0003099407.tif 000004
【図３】
0003099407.tif 000005
【図４】
0003099407.tif 000006
(57)【要約】
【課題】 慣習上、故人の遺骨は、墓のカロート室に入れたり、寺院に納骨することが行われてきたが、本考案は、日常的に気軽に遺骨を身に付け、持ち運ぶことを可能にするものである。
【解決手段】 従来の仏具からの発想を払拭し、外見的にはなんの抵抗感なく装飾品を身につける感覚で遺骨を気軽に身につけることができるように形成する。ペンダントに遺骨を収納するスペースを作り、ネジを回転させて、自ら遺骨を封入密閉することができる。
【選択図】　　図２
0003099406.tif 000002
【実用新案登録請求の範囲】
【請求項１】
ペンダントに遺骨収納スペースを具えたものであり、利用者自らペンダントに遺骨を収納することができるペンダント。
【考案の詳細な説明】
【技術分野】
【０００１】
本考案は、遺骨収納機能を持ったペンダントに関する。
【背景技術】
【０００２】
日本人の従来の宗教感や風習においては、遺骨を身につける習慣はなく、タブー視されてきた。仏具の分野では近年、遺骨収納の新しい形態が考案されているが、いずれも位牌や卓上のお墓といった形状のものである。
【考案の開示】
【考案が解決しようとする課題】
【０００３】
しかしながら、位牌や卓上のお墓といった形状の遺骨収納器は、宗教色が濃く、故人を悼む形態の多様化に対応できない。また、故人を悼むことによって得る安らぎや精神的な癒しを得るための手段として、遺骨を装飾品のように気軽に身につけることができない。
【課題を解決するための手段】
【０００４】
本考案は貴金属または装飾品として適した質感を有する材料をもとに、密閉式カプセル構造と容易に開閉しないネジ式蓋で構成し、カプセル内部のカロート部には粉末状にした遺骨を収納する。それを装飾品の作成手法で製作することにより解決するものである。
【考案の効果】
【０００５】
本考案に係る遺骨収納機能付ペンダントは宝飾品としての機能に加え、日本人の変化する宗教感に対応した自由な発想での故人への供養とそれを身につけることによって、身につける人に安らぎや安心の気持ちを抱かせる「お守り」的意味を持つ装飾品としての実用性がある。
【考案を実施するための最良の形態】
【０００６】
図1に示すように胸元を飾ったりする装飾品としての形態と質感を有する。
【図面の簡単な説明】
【０００７】
【図１】本考案にかかる装飾品としての正面図である。
【図２】本考案にかかる装飾品としての側面図である。
【符号の説明】
【０００８】
１・・・本体
２・・・ネジ（カロート蓋着脱ネジ）
３・・・カロート部
【図１】
0003099406.tif 000003
【図２】
0003099406.tif 000004
(57)【要約】【課題】従来の帽子は、頭部を全体でおおうため、内部の空気が移動し難く汗などでムレてしまう。また、帽子の重さで髪が圧縮され、髪型上面がつぶれてしまう。これらの課題を解決する帽子の製作を目的とする。【解決手段】少し大きめの帽子図１にＵ字型のバンド図２のような頭部を左右から挟み込めるバンドを取り付ける。頭部を左右側面から固定するために、帽子と頭部との間には前後に隙間ができ、内部上面に自然と空間が出来る。前後方向の隙間を通気口とし、上面の空間を髪型の保護と通気路として使用して、頭のムレない、髪型がくずれない帽子を提供する。【選択図】　　図４
0003099493.tif 000002
【実用新案登録請求の範囲】
【請求項１】
頭部を側面及び後頭部で押え、帽子の内部上面に空間を保ち前部及び後部にムレ防止の通気口を備え頭髪を保護するために頭部を側面及び後頭部で押える帽子。
【考案の詳細な説明】
【０００１】
【考案の属する技術分野】
頭部のムレ防止及び髪型の保護に関する帽子。
【０００２】
【従来の技術】
従来の帽子は頭部を全体で固定するため、内部の空気が移動しにくく、汗などで頭部がムレてしまう。頭部を全体で固定する帽子は、太陽光などは妨げるが通気性が良くない。通気性をもたすために網（メッシュ）構造にした帽子は、通気性を有するが上部からの防水性は不良となる。また、帽子の重さで髪が圧縮され、髪型上面がつぶれてしまう。
【０００３】
【考案が解決しようとする課題】
本考案は、その欠点をなくすために、帽子内部の空気を入れ替えてムレを防ぎ、帽子内部上面に空間をもたして、髪の圧縮を防ぐことを課題とする。
【０００４】
【考案を解決するための手段】
頭部のムレを防ぐために、帽子の内部の空気を効率よく排出するには、雨などの防水性も考えて通気口を上面ではなく側面にすること。そして、日常生活において頭部の動きは前後方向が多く、自然な動きで換気するために、その通気口の位置を前後方向にすること。また、髪型をつぶさせないために頭部と帽子の間に空間をもたせる。
【０００５】
【考案の実施の形態】
本考案は、帽子のサイズを通常より少し大きめの帽子図１ａに、ヘアバンドのような頭部を左右から挟み込めるＵ字型のバンド図２ｂを帽子の下の部分に側面から後部を回りこみ、反対側面まで、糸などで縫い付ける。このとき帽子の後部の中心から左右１．５〜２，５ｃｍくらいは後部に通気口をもたせるために縫い付けをしない。又、バンド図２ｂは糸に限らずマジックテープなどで、帽子に取り付けてもよい。
【０００６】
帽子、図１ａは、頭部を左右側面から固定するために、帽子と頭部との間には前後及び上面に自然と隙間が出来る。その前後方向の隙間を通気口として使用し、内部上面の空間は髪型の保護と通気路として使用出来る。
【０００７】
Ｕ字型の部品、図２ｂを縦方向などに取り付けることも出来るが、左右側面だけの固定では、頭部が前後に動いた際、帽子が前に落ちて視界をさえぎってしまう。そこで後頭部でも固定出来るようにＵ字型のバンド図２ｂを後頭部との大きさに合わせ、図３のように左右側面から後頭部にかけて取り付けることにより帽子の脱落を防止する。
【０００８】
本考案は、帽子図１ａ及びＵ字型のバンド図２ｂの大きさにより、帽子のサイズを適当に調整出来る。
【０００９】
帽子図１ａは、Ｕ字型のバンド図２ｂがもつ、頭部への挟み込みの強度を変えることにより、軽い運動から激しい運動まで帽子の脱落を防止出来る。
【考案の効果】
以上説明の構造により、本考案の帽子は、頭部が前方向に動いた時、額の隙間の通気口より入った空気は、帽子内部上面の空間を通り、後部の隙間の通気口より排出される。このように頭部の動きにより自然と帽子内部の空気が換気され、頭部のムレが解消できる事を特徴とする。
【００１０】
また、うつむいた状態から起き上がる頭部の動きでも、帽子後部の隙間の通気口より入った空気が帽子前部の隙間の通気口より排出されるので、帽子内部の空気が自然に換気され、ムレを防ぐ事が出来る。
【００１１】
帽子内部上面の前方より後方までの空間により髪型の上面のつぶれを防止で出来るが、頭部を側面で固定するために側面の髪型はつぶれてしまう。しかし、重力等の関係により上面より側面がつぶれた方が髪型は直しやすい。
【００１２】
本考案の帽子は、頭部を側面及び後頭部で固定するため、空間を保ち、額などの直接肌に接触する部分も少なくなる。よって、かぶれやアレルギーにも有効である。
【００１３】
本考案は、帽子の大きさを大きくするほど、上面の空間を大きくでき、ムレは大きく防げるが、大きさは従来使用していたものより少し大きくするだけでも効果があり、外観的にも従来と変わらない形状の帽子を提供出来る。
【００１４】
本考案は、寒い時など通気性を要求しない時でも、通気口の隙間を大きく持たさない様に布などでふさぐと、髪型の保護のみとして利用できる。
【００１５】
本考案の帽子は、頭部を側面及び後頭部で固定するため、頭部を全体でおおう物より圧迫感が無く、とても楽である。
【図面の簡単な説明】
【図１】帽子の斜視図
【図２】頭部を固定する部品の斜視図
【図３】図１に図２を取り付けた状態の帽子の斜視図
【図４】図３の左側面図
【符号の説明】
ａ　帽子
ｂ　頭部を固定するバンド
【図１】
0003099493.tif 000003
【図２】
0003099493.tif 000004
【図３】
0003099493.tif 000005
【図４】
0003099493.tif 000006
【手続補正書】
【提出日】平成15年9月2日(2003.9.2)
【手続補正１】
【補正対象書類名】明細書
【補正対象項目名】実用新案登録請求の範囲
【補正方法】変更
【補正の内容】
【実用新案登録請求の範囲】
【請求項１】
Ｕ字型のバンド図２ｂを後頭部の大きさに合わせて、帽子の左右側面から後頭部にかけて取り付け、装着時に頭部を側面及び後頭部で押え、帽子の内部上面に空間を保ち前部及び後部にムレ防止の通気口を備え頭髪を保護するために頭部を側面及び後頭部で押える帽子。
(57)【要約】　　　（修正有）【課題】宿泊施設等で使用するための、安価で、しかも個別使用化ができ、ゴミ処分にも困らない、さらには、宿泊客が喜んで持ち帰ることのできる使い捨てスリッパを提供する。【解決手段】スリッパ本体１と左右独立した足甲覆い部２，３は係止部材によって係止され簡単に撤去できるようになっており、さらに左右の足甲覆い部は、足甲上において重なり合って係止具ａ，ｂにて係止され重なり幅の調整ができるようになっていて同甲覆い部上部には名札スペースｃが設けてある。さらに、スリッパ本体１には鼻緒を係止するための穴があり、鼻緒の係止部を係止してビーチサンダルに転用できる。【選択図】　　図１
0003099496.tif 000002
【実用新案登録請求の範囲】
【請求項１】
　ＥＶＡ発泡体等の分解性樹脂を部材としたスリッパ本体（１）と、左右独立した足甲覆い部（２）（３）が足甲上で上下に重なり合い係止具（ａ）（ｂ）にて係止された引っ掛け部で形成され、同甲覆い部上面に部屋番号や部屋名及び氏名を記入する名札スペース（ｃ）が設けられた
　ことを特徴とするスリッパ。
【請求項２】
　請求項１においてスリッパ本体（１）に鼻緒（４）を係止する穴（ｄ）（ｅ）（ｆ）を設け、左右足甲覆い部を撤去したのち、鼻緒の係止部（ｇ）（ｈ）（ｉ）を係止することでビーチサンダルに転用することができる
　ことを特徴とするスリッパ。
【考案の詳細な説明】
【技術分野】
【０００１】　本考案は、宿泊施設等大衆の集合する場所において使用するスリッパの衛生に関するものであり、詳しくは使い捨てスリッパの具体的転用方法に関するものである。
【背景技術】
【０００２】　ホテル、旅館等の宿泊施設等においては、旧態依然としてビニール製人工皮革スリッパを繰り返し使用しており、消毒しているのかどうかも不明である。特に裸足で履く事の多い風呂脱衣場や宴会場、和式食事会場などでは自分の脱いだスリッパを再度履くことなど不可能に均しく、非常に非衛生的であり、精神的不快感を覚えるものであった。
【考案の開示】
【考案が解決しようとする課題】
【０００３】　宿泊客個々人に従来使用しているものと同じ新品のスリッパを与えるのでは経済的負担が大きく、更にゴミ処分方法に困惑してしまう。また、従来繰り返し使用しているスリッパに個々人の名前を記入した名札を貼ったり剥がしたりするのでは時間的労働的負担が増えるだけで個別使用化ができず衛生面の課題が残る。したがって安価で個別使用化ができ更にゴミ処分にも困らず、できれば宿泊客が持ち帰る様なスリッパを提供することで前述の課題を解決しようとするものである。
【課題を解決するための手段】
【０００４】　本考案は、ＥＶＡ発泡体等の分解性樹脂を材料として簡易構造で製作するもので、非常に安価なことから宿泊客個々人に新品を提供しても経済的負担にはならず、かつ名札スペースを設けることで個別使用化ができ非常に衛生的である。更に分解性樹脂を材料としていることからゴミ処分にも困らず、焼却してもダイオキシンが発生せず、それよりもビーチサンダルに転用できることで宿泊客のほとに分解性樹脂を材料としていることからゴミ処分にも困らず、焼却してもダイオキシンが発生せず、それよりもビーチサンダルに転用できることで宿泊客のほとんどが持ち帰ることになるため、課題を解決している。
【考案の効果】
【０００５】　上述のように、本考案のスリッパは簡易構造でしかも非常に安価で製作できることから宿泊施設等の個々人の客に使い捨てスリッパとして提供することができ、それ故、個々人の部屋番号や名前等を記入でき、個別使用化することができる。【０００６】　また、原材料をＥＶＡ樹脂等の分解性樹脂を使用することから、微生物による自然分解がなされ、消却してもダイオキシン等の有害物質を排出せず、時代にマッチした環境にやさしいスリッパである。【０００７】　さらに、宿泊施設等で使い捨てスリッパの導入を見送っていた最大の原因であるところの使用済みスリッパの処分に関しても、ビーチサンダルに転用できることから、ほとんどの宿泊客はスリッパを持ち帰るので、この問題を解決している。
【考案を実施するための最良の形態】
【０００８】　考案を実施するための最良の形態を図面を参照して説明する。
　（１）は、ＥＶＡ発泡体等の分解性発泡樹脂を原材料とした肉厚１０ｍｍ〜２０ｍｍ程度の発泡樹脂板を、抜き型を使用して裁断し、スリッパ本体が形成されている。
　詳しくは、発泡樹脂板形成時に表面には素足滑り止めの突起物が設けられ、裏面には床滑り止めの波型加工が施されていて、さらに鼻緒（４）を係止するための直径７ｍｍ〜１２ｍｍ程度の丸穴（ｄ）（ｅ）（ｆ）が打ち抜き形成されていて丸シール（ｊ）でふさがれている。【０００９】　（２）（３）は、ＥＶＡ樹脂等の分解性樹脂を原材料とした肉厚２ｍｍ〜５ｍｍ程度の樹脂板を使用し、やはり抜き型で裁断を行い、足甲覆い部を形成しており、上部甲覆い部には部屋番号と氏名が書き込める名札スペース（ｃ）が印刷されている。【００１０】　本体（１）と足甲覆い部（２）（３）とはマジックテープ（商標登録）で係止され、足甲覆い部（２）（３）はすぐに撤去できるようになっており、さらに同甲覆い部（２）（３）には、それぞれマジックテープ（商標登録）の雄雌（ア）（イ）が貼り付けられ、足甲の高低や足の大小に応じて重なり幅が調整できるようになっている。【００１１】　本体（１）から足甲覆い部（２）（３）を撤去し、丸シール（ｃ）を剥がすと鼻緒（４）を係止するための穴（ｄ）（ｅ）（ｆ）が現れ、これにゴム製の鼻緒の係止部分（ｇ）（ｈ）（ｉ）をそれぞれ係止することができるようになっている。
【図面の簡単な説明】
【図１】　本考案のスリッパを示す全体図である。
【図２】　本考案のスリッパをサンダルに転用した全体図である。
【符号の説明】
　（１）　スリッパの本体
　（２）　左側足甲覆い部
　（３）　右側足甲覆い部
　（４）　鼻緒
　（ａ）　係止具
　（ｂ）　係止具
　（ｃ）　名札スペース
　（ｄ）　鼻緒を係止する穴
　（ｅ）　鼻緒を係止する穴
　（ｆ）　鼻緒を係止する穴
　（ｇ）　鼻緒の係止部分
　（ｈ）　鼻緒の係止部分
　（ｉ）　鼻緒の係止部分
　（ｊ）　丸シール
　（ア）　マジックテープの雄
　（イ）　マジックテープの雌
【図１】
0003099496.tif 000003
【図２】
0003099496.tif 000004
(57)【要約】
【課題】　　　エッグトレイの凹凸部分の汚れを効果的に落とすことができる。
【解決手段】　右回転ブラシ２と左回転ブラシ３を取付け、駆動モーター回転で洗浄する。さらに温水を高圧噴水ノズル６で洗浄する。またエッグトレイ１を移動しながら洗浄する。
【選択図】　　図１
0003099494.tif 000002
【実用新案登録請求の範囲】
【請求項１】
　エッグトレイ洗浄を右回転ブラシと左回転ブラシを取付け、同時に回転することで洗浄する洗浄装置。
【請求項２】
　右回転ブラシと左回転ブラシと温水を高圧噴水による併用作用で洗浄する洗浄装置。
【請求項３】
　エッグトレイを搬送コンベアーで搬送移動しながら右回転ブラシと左回転ブラシで洗浄する洗浄装置。
【考案の詳細な説明】
【考案の詳細な説明】
【技術分野】
【０００１】　本考案は、駆動モーターにより回転する回転ブラシが右回転ブラシと左回転ブラシで洗浄することを、目的とした装置で、さらに温水を高圧噴水と右回転ブラシと左回転ブラシを回転させながらエッグトレイを搬送移動し洗浄する洗浄装置に関する。
【背景技術】
【０００２】　従来のエッグトレイの洗浄機においては、温水を高圧噴水で吹き付け洗浄が一般である。
【考案が解決しようとする課題】
【０００３】　従来のエッグトレイ洗浄装置にあっては、エッグトレイの汚れを温水で高圧噴水で吹き付けだけでの洗浄のため、卵の割れて付着したゲル状態のもの、あるいは乾燥してしまった付着汚れにちいては、汚れを落とすことが容易でなく限界があった。特にエッグトレイによる卵の移動の範囲が広くなり養鶏場の伝染病予防に、食品工場の衛生上の問題について、強く指摘されていた。この様なことから、エッグトレイの洗浄について効果的に洗浄を実行することが問題点であった。
【課題を解決するための手段】
【０００４】　　本考案は、右回転ブラシと左回転ブラシとで、汚れを効果的に除去洗浄することを、目的としている。また高圧噴水による併用作用で効果的に洗浄するエッグトレイ洗浄装置を提供することが、目的としている。
【０００５】　上記目的を達成するために、本考案のエッグトレイ洗浄装置においては、駆動モーターにより右回転ブラシと左回転ブラシがエッグトレイの凹凸部分を直接ブラシで擦り汚れを効果的に落とすことが可能となった。
【請求項１】
【０００６】更にエッグトレイの洗浄時の右回転ブラシと左回転ブラシの回転速度を毎分１０００〜１１００回転で実施することが効果的である。
【０００７】また、エッグトレイ洗浄時の右回転ブラシと左回転ブラシと、高圧噴水ノズルより高圧で噴水する温水の併用作用で、洗浄が効果的である。
【請求項２】
【０００８】さらに、回転ブラシのブラシ毛がエッグトレイ上部から４０ｍｍ〜４５ｍｍ接触させることが好ましい。
【０００９】また、エッグトレイの乾燥は、熱風乾燥機で８０℃実施することが好ましい。
【００１０】さらに、エッグトレイ搬送コンベアーでエッグトレイを移動しながら右回転ブラシと左回転ブラシで、洗浄すると汚れを効果的に落とすことができる。
【請求項３】
【考案を実施するための最良の形態】
【００１１】　考案の実施の形態を実施例にもとづき図面を参照に説明する。
図１、においては、エッグトレイ洗浄装置のエッグトレイ搬送コンベアー４よりエッグトレイ１を移動させ洗浄ボックス５内に導入する。洗浄ボックス５内は、あらかじめ高圧噴水ノズル６より８０℃の温水を噴水させておく。回転ブラシ２、３も同様に回転させておく。【００１２】図面で、回転ブラシ２は右回転、回転ブラシ３は左回転とする。回転ブラシ２はエッグトレイ１の凹凸部分の凸上部と凹部分の中心よりの左部分の洗浄を主体とする。また、回転ブラシ３は凹凸部分の凸上部と凹部分の中心よりの右部分の洗浄を主体とする。【００１３】エッグトレイ搬送コンベアー４の移動と、高圧噴水ノズル６より温水８０℃を噴水させ回転ブラシ２、３との併用作用によりエッグトレイ１の付着汚れの剥離を目的とした一連の工程とすることで、特に凹部分の汚れを効果的な洗浄とする。【００１４】また、エッグトレイ搬送コンベアー４は，毎分４ｍ〜５ｍの速度で前進移動させる一連の工程からなる。
【考案の効果】
【００１４】　本考案は、以上説明したように構成されているので、下記に記載するような効果を奏する。
【００１５】エッグトレイ洗浄時に回転ブラシ２、３を取り付けることにより、特に凹凸部分の凹部分の汚れを落とすことができる。
【００１６】また、エッグトレイ搬送コンベアー４で移動しながら洗浄すること回転ブラシ２、３、で洗浄すること高圧噴水ノズル６で洗浄することの一連の工程で、エッグトレイ１の汚れを効果的に落とすことができる。
【図面の簡単な説明】
【００１７】
【図１】　エッグトレイ洗浄装置の断面図である。
【符号の説明】
　１　エッグトレイ
　２　右回転ブラシ
　３　左回転ブラシ
　４　エッグトレイ搬送コンベアー
　５　洗浄ボックス
　６　高圧洗浄ノズ
【図１】
0003099494.tif 000003